(57)【要約】【課題】  宣伝広告対象の商品と関連するように表示部を配置して、商品購買意欲を高めさせる商品陳列構造を提供する。【解決手段】  本発明の商品陳列構造１０は、プライスタグ８１と、前記プライスタグ８１の下方に間隔を開けて設けられた商品吊下げ用バーフック８３と、前記商品吊下げ用バーフックに吊り下げられた商品９と、表示部２を有する陳列表示具１と、を有し、前記陳列表示具１の表示部２が、前記プライスタグ８１と商品吊下げ用バーフック８３の間に配置されている。【選択図】  図１
2017012569.tif 000002
【特許請求の範囲】
【請求項１】
プライスタグと、
前記プライスタグの下方に間隔を開けて設けられた商品吊下げ用バーフックと、
前記商品吊下げ用バーフックに吊り下げられた商品と、
表示部を有する陳列表示具と、を有し、
前記陳列表示具の表示部が、前記プライスタグと商品吊下げ用バーフックの間に配置されている、商品陳列構造。
【請求項２】
前記商品吊下げ用バーフックの軸芯方向から見て、前記表示部の一部が前記商品に重なっている、請求項１に記載の商品陳列構造。
【請求項３】
プライスタグを有するプライスタグバーに取り付けられる取り付け部と、
前記取り付け部に連結され且つプライスタグと商品吊下げ用バーフックの間に配置される表示部と、
を有する陳列表示具。
【発明の詳細な説明】
【技術分野】
【０００１】
本発明は、吊り下げ陳列される商品の宣伝広告効果を高めるための表示部を備えた商品陳列構造及びそれに用いられる陳列表示具に関する。
【背景技術】
【０００２】
従来、商品を陳列販売する形態として、商品吊下げ用バーフックに商品を吊り下げて陳列する陳列構造が広く行われている。
このような商品陳列構造は、プライスタグバーと商品吊下げ用バーフックが上下に所定間隔を開けた状態で壁面から前方に突設され、前記プライスタグバーの前端部にプライスタグが取り付けられ、且つ、前記商品吊下げ用バーフックに商品が吊り下げられている。
さらに、吊り下げ陳列される商品の宣伝広告効果を高める目的で、商品名やキャンペーン案内などの各種広告を表示した表示具を、前記商品陳列構造に具備させる場合もある。
例えば、特許文献１には、隣接する複数のプライスタグバーの上後方に配置される表示部（ＰＯＰ表示板５）を有する陳列表示具（ＰＯＰ表示具１）が開示されている。また、特許文献２には、商品吊下げ用バーフックに挿通され、商品吊下げ用バーフックの前方において垂れ下がって配置される表示部（印刷物ホルダー部３４）を有する陳列表示具（ディスプレイフック３０）が開示されている。
【０００３】
特許文献１の陳列表示具は、表示部がプライスタグバーの上方に配置されているので、表示部が商品から大きく離れてしまい、表示部による商品の宣伝広告効果を十分に発揮できない。
また、特許文献２の陳列表示具は、表示部が商品吊下げ用バーフックの前端部に挿通され且つそのバーフックに垂れ下がって配置されているので、その表示部が商品の多くの部分を隠してしまい、購入者に対して商品そのものを十分に見せることができない。
【先行技術文献】
【特許文献】
【０００４】
【特許文献１】特開２０１１−１６７２５６号公報
【特許文献２】特開２００２−２８２１００号公報
【発明の概要】
【発明が解決しようとする課題】
【０００５】
本発明の目的は、宣伝広告対象の商品と関連するように表示部を配置して、商品購買意欲を高めさせる商品陳列構造及び陳列表示具を提供することである。
【課題を解決するための手段】
【０００６】
本発明の商品陳列構造は、プライスタグと、前記プライスタグの下方に間隔を開けて設けられた商品吊下げ用バーフックと、前記商品吊下げ用バーフックに吊り下げられた商品と、表示部を有する陳列表示具と、を有し、前記陳列表示具の表示部が、前記プライスタグと商品吊下げ用バーフックの間に配置されている。
【０００７】
本発明の好ましい商品陳列構造は、前記商品吊下げ用バーフックの軸芯方向から見て、前記表示部の一部が前記商品に重なっている。
【０００８】
本発明の別の局面によれば、陳列表示具を提供する。
本発明の陳列表示具は、プライスタグを有するプライスタグバーに取り付けられる取り付け部と、前記取り付け部に連結され且つプライスタグと商品吊下げ用バーフックの間に配置される表示部と、を有する。
【発明の効果】
【０００９】
本発明の商品陳列構造は、表示部がプライスタグと商品吊下げ用バーフックの間に配置されているので、表示部の宣伝広告表示と商品が関連付けられ、消費者の商品購買意欲を高めさせる効果を期待できる。
【図面の簡単な説明】
【００１０】
【図１】第１実施形態の商品陳列構造の斜視図。ただし、商品を二点鎖線で表している（他の図も同様）。
【図２】同商品陳列構造を商品吊下げ用バーフックの軸芯方向前方側から見た正面図。
【図３】同商品陳列構造の右側面図。
【図４】第１実施形態の陳列表示具であって、組み立て前の陳列表示具の平面図。
【図５】図４のＶ−Ｖ線で切断した断面図。
【図６】同陳列表示具の組み立て手順を示す参考斜視図。
【図７】第２実施形態の陳列表示具であって、組み立て前の陳列表示具の平面図。
【図８】同陳列表示具の組み立て手順を示す参考斜視図。
【図９】第２実施形態の商品陳列構造の斜視図。
【図１０】同商品陳列構造を商品吊下げ用バーフックの軸芯方向前方側から見た正面図。
【発明を実施するための形態】
【００１１】
［第１実施形態］
図１乃至図３において、商品陳列構造１０は、プライスタグ８１と、前記プライスタグ８１の下方に間隔を開けて設けられた商品吊下げ用バーフック８３と、前記商品吊下げ用バーフック８３に吊り下げられた商品９と、表示部２を有する陳列表示具１と、を有する。
まず、陳列表示具１の構成について説明した後、商品陳列構造１０について説明する。
【００１２】
プライスタグ８１を有するプライスタグバー８２と商品吊下げ用バーフック８３とを有する陳列部に取り付けられる前の陳列表示具１は、図４及び図５に示すように、シート状であり、前記陳列部に取り付ける際に、図６に示すように組み立てられる。
陳列表示具１を構成するシート材としては、特に限定されず、例えば、ポリエステル、ポリスチレン、塩化ビニル系樹脂などの合成樹脂シート；異種又は同種の樹脂層が複数積層された積層樹脂シート；合成紙；普通紙、厚紙などの紙；段ボール紙；これらのシートの中から２種以上のシートが積層された積層シートなどを用いることができる。
好ましくは、前記シート材として、合成樹脂シート、積層樹脂シート、合成紙又は厚紙などの紙が用いられる。前記合成樹脂シート又は積層樹脂シートは、透明又は不透明の何れでもよい。
前記合成樹脂シート、積層樹脂シート及び合成紙の各厚みは、特に限定されないが、例えば、８０μｍ〜２ｍｍ、好ましくは１００μｍ〜１ｍｍである。前記紙の坪量は、特に限定されないが、例えば、１００ｇ／ｍ２〜５００ｇ／ｍ２であり、好ましくは、１２０ｇ／ｍ２〜３００ｇ／ｍ２である。
【００１３】
このようなシート材を所望の平面視形状に形成することによって、陳列表示具１が構成される。
詳しくは、陳列表示具１は、宣伝広告表示が表された表示部２と、プライスタグバー８２に取り付けられる取り付け部３と、表示部２と取り付け部３とを連結する連結部４と、を有する。
【００１４】
表示部２の第１面には、宣伝広告表示が付与されている。宣伝広告表示の付与方法は、特に限定されず、表示部２の第１面に直接的に宣伝広告表示を印刷する、表示部２の第１面に宣伝広告表示が表されたシールを貼り付けるなどの方法が挙げられる。なお、前記宣伝広告表示は、平面的な表示に限られず、立体的な表示でもよい。例えば、立体的なキャラクターを前記表示部２の第１面に貼り付けることによって宣伝広告表示を表示部２に付与してもよい。必要に応じて、表示部２の第２面に前記宣伝広告表示を付与してもよい。
また、必要に応じて、取り付け部３及び連結部４などの陳列表示具１を構成する他の部分にも、宣伝広告表示や様々なデザイン表示などを付加してもよい。
なお、前記表示部２の第１面は、表示部２の２つの面のうち、陳列表示具１を陳列部に取り付けた際に正面となる面であり、表示部２の第２面は、その反対面である。
表示部２の平面視形状は、陳列表示具１を陳列部に取り付けた際に、表示部２がプライスタグ８１と商品吊下げ用バーフック８３の間に収まる程度の大きさに形成されていれば、特に限定されないが、前記宣伝広告表示と相乗して宣伝効果を高めるような形状に形成されることが好ましい。例えば、表示部２の縁形状は、部分的に突出した突起状部を有する。図示例では、表示部２の平面視形状は、漫画の吹き出しの如く、複数の弧状突起２ａ及び１つの三角突起２ｂを有する形状である。
【００１５】
この表示部２の一部分は、連結部４に連結されている。連結部４は、例えば、平面視帯状に形成されている。もっとも、連結部４の形状は、その他の形状に形成されていてもよい。
図示例では、表示部２は、連結部４の前端部に連結されている。
また、表示部２と連結部４の境界中央部には、第１切り目５１が形成されている。さらに、表示部２と連結部４の間の境界であって前記第１切り目５１が形成された部分を除く境界に、第１折り罫線６１が形成されている。
【００１６】
前記取り付け部３は、連結部４に連結されている。取り付け部３は、例えば、連結部４の後端部に設けられた第１取り付け部３１と、連結部４の中途部に設けられた第２取り付け部３２と、からなる。ただし、取り付け部３の数は、２つに限定されず、１つでもよく、或いは、３つ以上でもよい。取り付け部３の数や形成位置は、連結部４の長さや表示部２の大きさなどを考慮して適宜設定されるが、プライスタグバー８２に表示部２を安定的に取り付けることができることから、取り付け部３の数は、２つ以上が好ましい。
第１取り付け部３１と連結部４の境界には、第２折り罫線６２が形成されている。また、第１取り付け部３１の面内には孔５９が形成され、第１取り付け部３１の１つの縁から前記孔５９の縁にまで第２切り目５２が形成されている。
第２取り付け部３２は、左右一対の片部３２１，３２２から構成されている。一方片部３２１及び他方片部３２２は、それぞれ連結部４の側部から外側に延設されており、一方片部３２１と連結部４の境界には、第３折り罫線６３が形成され、他方片部３２２と連結部４の境界には、第４折り罫線６４が形成されている。また、一方片部３２１の後方の縁から前方に向かって第３切り目５３が形成され、他方片部３２２の前方の縁から後方に向かって第４切り目５４が形成されている。前記各切り目の不用意な裂けを防止するため、必要に応じて、第３切り目５３の前端及び第４切り目５４の後端に繋がる、略Ｕ字状などの返し切り目や孔などを形成してもよい。
【００１７】
なお、本明細書において、用語の頭に付した第１、第２などは、用語を区別するために付けたものであって、順序や優劣などの特別な意味を持たない。方向を示す用語の「前」は、表示部側を、「後」は、第１取り付け部側を指す。また、図４の平面図において、各折り罫線を一点鎖線で表している（第２実施形態の図７も同様）。折り罫線は、その罫線に沿ってシート材を折り曲げ容易とするために形成されるものである。前記折り罫線としては、図５に示すような、シート材の厚み方向に断面略Ｖ字状に切り込んだハーフカット線、その他図示しないが、ミシン針の縫い目跡の如き貫通孔が断続的に連なったミシン目線、シート材の厚み方向に押し込んだ押し凹線などが挙げられる。
【００１８】
また、第１取り付け部３１と第２取り付け部３２とは、同様な構成であってもよい。例えば、第１取り付け部３１が、第２取り付け部３２と同様に、一対の片部から構成されていてもよい。或いは、第２取り付け部３２が、第１取り付け部３１と同様に、面内に孔が形成された１つの片部から構成されていてもよい。さらに、第１取り付け部３１と第２取り付け部３２は、上記のような構成に限られず、適宜変更することもできる。第１取り付け部３１と第２取り付け部３２が上記以外の構成の場合、両部３１，３２は、互いに異なる構成でもよく、同様な構成であってもよい。
【００１９】
前記第１取り付け部３１から第２取り付け部３２までの長さは、特に限定されず、適宜設定される。もっとも、前記長さが余りに小さいと、表示部２を安定的に陳列部に取り付けることができないおそれがあり、前記長さが余りに大きいと、陳列部に表示部２を取り付けた際に表示部２が商品９の前方に大きく突出し過ぎるおそれがある。かかる観点から、前記第１取り付け部３１から第２取り付け部３２までの長さは、２０ｍｍ〜２００ｍｍであることが好ましく、３０ｍｍ〜１００ｍｍであることがより好ましい。なお、前記第１取り付け部３１から第２取り付け部３２までの長さは、第１取り付け部３１と連結部４の境界から第２取り付け部３２の前後方向中間点までの長さをいう。
また、第１取り付け部３１から表示部２までの長さは、特に限定されず、例えば、５０ｍｍ〜４００ｍｍである。第１取り付け部３１から表示部２までの長さは、第１取り付け部３１と連結部４の境界から表示部２と連結部４の境界までの長さをいう。
【００２０】
次に、陳列表示具１の組み立て方法を説明する。図６に示すように、表示部２を第１折り罫線６１にて下方に折り曲げることにより、表示部２を連結部４に対して直交状に立ち上げる。さらに、第１取り付け部３１を第２折り罫線６２にて上方に折り曲げることにより、第１取り付け部３１を連結部４に対して直交状に立ち上げる。また、一方片部３２１及び他方片部３２２を第３折り罫線６３及び第４折り罫線６４にて上方に折り曲げることにより、一方片部３２１及び他方片部３２２を連結部４に対して直交状に立ち上げると共に、一方片部３２１の第３切り目５３と他方片部３２２の第４切り目５４を係合させることにより、環状の第２取り付け部３２を形成する。このようにして、シート状の陳列表示具１を立体的に組み立てることができる。
【００２１】
この陳列表示具１を陳列部に具備させることにより、第１実施形態の商品陳列構造１０が構成される。
図１乃至図３に示すように、陳列部は、従来公知のものである。簡単に説明すると、陳列部は、壁面Ｘと、プライスタグ８１を有するプライスタグバー８２と、商品９を吊り下げるための商品吊下げ用バーフック８３と、を有する。
プライスタグバー８２及び商品吊下げ用バーフック８３は、それぞれ、例えば、直径３ｍｍ〜１０ｍｍほどの直線状の線材からなる。
プライスタグバー８２及び商品吊下げ用バーフック８３は、その軸芯が壁面Ｘに対して直交するようにして壁面Ｘにそれぞれ固定されている。従って、プライスタグバー８２及び商品吊下げ用バーフック８３の各軸芯は、壁面Ｘに対して直交する方向であって、水平方向に延在されている。プライスタグバー８２及び商品吊下げ用バーフック８３は、所定間隔を開けて上下に配置されている。プライスタグバー８２と商品吊下げ用バーフック８３の上下間隔（２つのバー８２，８３の中心間の長さ）は、特に限定されず、例えば、２０ｍｍ〜８０ｍｍである。
プライスタグ８１は、プライスタグバー８２の前端部に取り付けられている。プライスタグ８１は、例えば、正面視矩形状である。なお、プライスタグ８１の下端と商品吊下げ用バーフック８３の上下間隔は、概ね前記プライスタグバー８２と商品吊下げ用バーフック８３の上下間隔に等しい。
また、商品吊下げ用バーフック８３には、その軸芯方向に並んで複数の商品９が吊り下げられている。
なお、図示のように、前端部が上方に屈曲した形態の商品吊下げ用バーフック８３も知られているが、本明細書において、商品吊下げ用バーフック８３の軸芯方向は、その屈曲した前端部を除く直線部分（つまり、商品９が吊り下げられる部分）における軸芯の方向をいう。
【００２２】
陳列表示具１の第１取り付け部３１を連結部４に対して直交状に立ち上げ、第１取り付け部３１の第２切り目５２から開いてプライスタグバー８２に挿入し、第１取り付け部３１の孔５９をプライスタグバー８２に嵌め入れる。孔５９にてプライスタグバー８２に嵌め入れられた第１取り付け部３１は、プライスタグバー８２に係止される。次に、一方片部３２１及び他方片部３２２をプライスタグバー８２を抱くように折り曲げ、一方片部３２１の第３切り目５３と他方片部３２２の第４切り目５４を係合させることにより、環状に形成された第２取り付け部３２がプライスタグバー８２に係止される。第１取り付け部３１及び第２取り付け部３２をプライスタグバー８２に係止させることにより、連結部４は略水平となってプライスタグバー８２と商品吊下げ用バーフック８３の間に介在される。
【００２３】
正面視において、表示部２は、前記プライスタグ８１と商品吊下げ用バーフック８３の間に配置される。また、正面視において、前記プライスタグ８１と商品吊下げ用バーフック８３の間に配置された表示部２は、その一部が商品吊下げ用バーフック８３に吊り下げられた商品９の上方部に重なっている。この表示部２の一部は、例えば、１つ又は２つ以上の弧状突起２ａ及び三角突起２ｂである。なお、正面視は、商品吊下げ用バーフック８３の軸芯方向に視線を向けて見ることをいう。
表示部２を前記の位置に配置するために、プライスタグ８１と商品吊下げ用バーフック８３の上下間隔を考慮して、第１取り付け部３１及び第２取り付け部３２の長さが設定される。第１取り付け部３１と第２取り付け部３２を同じに設定することによって、図示のように、表示部２がプライスタグバー８２と平行に配置された商品陳列構造１０を構成できる。また、第１取り付け部３１の長さを第２取り付け部３２よりも大きく設定することによって、表示部２がプライスタグバー８２に対して上向き傾斜した商品陳列構造１０を構成でき、反対に、第１取り付け部３１の長さを第２取り付け部３２よりも小さく設定することによって、表示部２がプライスタグバー８２に対して下向き傾斜した商品陳列構造１０を構成できる。
【００２４】
本発明の商品陳列構造１０は、表示部２がプライスタグ８１と商品吊下げ用バーフック８３の間に配置されているので、その表示部２の宣伝広告表示が商品９と関連付けられ、消費者の商品購買意欲を高めさせる効果を期待できる。特に、表示部２の一部が商品９に重なって配置されている場合、正面視で、その表示部２が商品９に貼り付けられたＰＯＰラベルのように見え、商品９の各々に別途ＰＯＰラベルを貼り付けることなく、消費者の商品９への注意を喚起できる。
さらに、本発明の商品陳列構造１０は、表示部２が商品９の正面部をほとんど隠すことがなく、商品９そのものも消費者からよく見えるようになっており、また、商品吊下げ用バーフック８３から商品９を取り外す際に表示部２が邪魔になることもない。
また、表示部２がプライスタグ８１を隠すこともなく、消費者が商品９の価格を確認する邪魔になることもない。
さらに、陳列表示具１の取り付け部３は簡易な構造であるので取り付けやすく、また不要となった場合には、プライスタグバー８２から陳列表示具１を引っ張るだけで容易に取り外すことができる。
【００２５】
［第２実施形態］
次に、本発明の第２実施形態を説明するが、その説明にあたっては主として上記第１実施形態と異なる構成について説明し、同様の構成及び効果については、その説明を省略し、用語及び図番を援用することがある。
【００２６】
図７において、第２実施形態の陳列表示具１は、表示部２が、主片部２１と副片部２２とを有する。主片部２１は、陳列部に陳列表示具１が取り付けられた際に、プライスタグ８１と商品吊下げ用バーフック８３の間に配置され、副片部２２は、商品９の側方に配置される。
具体的には、第２実施形態の陳列表示具１も、シート状であり、前記陳列部に取り付ける際に組み立てられる。陳列表示具１は、宣伝広告表示が表された表示部２と、プライスタグバー８２に取り付けられる取り付け部３と、表示部２と取り付け部３とを連結する連結部４と、を有する。表示部２は、略長方形状の主片部２１と、主片部２１の長手方向両側において略長方形状に延びる一対の副片部２２，２２と、を有する。前記副片部２２の縁形状は、部分的に突出した突起状部を有する。図示例では、副片部２２の平面視形状は、複数の弧状突起２２ａが形成された形状である。
連結部４は、主連結片部４１と、副連結片部４２と、を有する。副連結片部４２，４２は、主連結片部４１の両側にそれぞれ設けられ、主連結片部４１と副連結片部４２の境界には、第５折り罫線６５がそれぞれ形成されている。
主片部２１は、主連結片部４１に連結されている。表示部２と主連結片部４１の境界には、第６折り罫線６６が形成されている。
一方の副片部２２は、一方の副連結片部４２に連結され、他方の副片部２２は、他方の副連結片部４２に連結されている。一対の副片部２２と一対の副連結片部４２の境界には、それぞれ第７折り罫線６７が形成されている。一対の副片部２２及び主片部２１は、互いに独立して、副連結片部４２及び主連結片部４１に対して折り曲げ可能である。
また、主連結片部４１の後端部には、上記第１実施形態と同様な第１取り付け部３１が設けられている。さらに、主連結片部４１の面内には、上記第１実施形態と同様な、一方片部３２１及び他方片部３２２から構成される第２取り付け部３２が設けられている。この一方片部３２１及び他方片部３２２は、主連結片部４１の面内に形成されたコの字状の第５切り目５５によって囲われた範囲からなる。
【００２７】
第２実施形態の陳列表示具１は、図８に示すように、連結部４の一対の副連結片部４２を第５折り罫線６５にて下方に折り曲げることにより、一対の副連結片部４２を主連結片部４１に対して直交状にする。さらに、表示部２の主片部２１を第６折り罫線６６にて上方に折り曲げることにより、主片部２１を主連結片部４１に対して直交状に立ち上げると共に、一対の副片部２２を第７折り罫線６７にて内方に折り曲げることにより、副片部２２を副連結片部４２に対して直交状にする。さらに、第１取り付け部３１を第２折り罫線６２にて上方に折り曲げることにより、第１取り付け部３１を連結部４に対して直交状に立ち上げる。また、一方片部３２１及び他方片部３２２を第３折り罫線６３及び第４折り罫線６４にて上方に折り曲げることにより、一方片部３２１及び他方片部３２２を連結部４に対して直交状に立ち上げると共に、一方片部３２１の第３切り目５３と他方片部３２２の第４切り目５４を係合させることにより、環状の第２取り付け部３２を形成する。このようにして、シート状の陳列表示具１を立体的に組み立てることができる。
【００２８】
この陳列表示具１を陳列部に具備させることにより、第２実施形態の商品陳列構造１０が構成される。
図９及び図１０に示すように、陳列表示具１の第１取り付け部３１及び第２取り付け部３２を上記第１実施形態と同様にしてプライスタグバー８２に係止させ、一対の副連結片部４２を主連結片部４１に対して直交状に折り曲げ、主片部２１を主連結片部４１に対して直交状に立ち上げると共に、一対の副片部２２を内方に折り曲げることにより、商品陳列構造１０が構成される。
第２実施形態においても、正面視において、表示部２（主片部２１）がプライスタグ８１と商品吊下げ用バーフック８３の間に配置される。また、表示部２の一部（副片部２２）は、商品９の側方に配置されている。この表示部２の一部（副片部２２）は、正面視において、商品吊下げ用バーフック８３に吊り下げられた商品９の側方部に重なっている。
【００２９】
本実施形態の商品陳列構造１０も上記第１実施形態と同様に、表示部２がプライスタグ８１と商品吊下げ用バーフック８３の間に配置されているので、その表示部２の宣伝広告表示が商品９と関連付けられ、消費者の商品購買意欲を高めさせる効果を期待できる。
また、本実施形態の商品陳列構造１０は、商品９の側方にも表示部２の一部（副片部２２）が配置されているので、宣伝広告表示の面積が大きくなり、消費者の視覚に止まりやすい。
さらに、主連結片部４１及び副連結片部４２にも宣伝広告表示を施すことによって、商品陳列構造１０の正面だけでなく、その側面及び上面からも消費者の注意を引きつけることができる。
【００３０】
その他、本発明は、上記第１及び第２実施形態に限られず、本発明の意図する範囲で適宜な変更、付加、置換などを行うことができる。
例えば、上記各実施形態において、取り付け部３をプライスタグバー８２に取り付けることにより、表示部２がプライスタグ８１と商品吊下げ用バーフック８３の間に配置されているが、例えば、取り付け部を商品吊下げ用バーフックに取り付けるようにしてもよく、或いは、取り付け部をプライスタグの後面部に取り付けるようにしてもよい（図示せず）。要は、表示部の全部又は一部をプライスタグと商品吊下げ用バーフックの間に配置できるようにすればよく、取り付け部の取り付け場所や取り付け手段は特に限定されない。
さらに、上記各実施形態では、表示部と取り付け部の間には連結部が介在しているが、表示部に直接的に取り付け部が設けられていてもよい。
また、上記各実施形態では、陳列表示具１は１枚のシート材から構成されているが、これに限られず、例えば、表示部と取り付け部と連結部の少なくともいずれか１つが別部材で構成されていてもよい（図示せず）。
また、上記各実施形態では、陳列表示具１はシート状のものを組み立てることにより構成されるが、例えば、立体的に成形された樹脂成形品などで陳列表示具を構成してもよい（図示せず）。
【符号の説明】
【００３１】
１  陳列表示具
２，２１，２２  表示部
３，３１，３２  取り付け部
４，４１，４２  連結部
８１  プライスタグ
８２  プライスタグバー
８３  商品吊下げ用バーフック
９  商品
１０  商品陳列構造
【図１】
2017012569.tif 000003
【図２】
2017012569.tif 000004
【図３】
2017012569.tif 000005
【図４】
2017012569.tif 000006
【図５】
2017012569.tif 000007
【図６】
2017012569.tif 000008
【図７】
2017012569.tif 000009
【図８】
2017012569.tif 000010
【図９】
2017012569.tif 000011
【図１０】
2017012569.tif 000012